(57)【要約】【課題】単一信号による複数の無線技術を用いたデータの伝送を可能にする【解決手段】第１及び第２のデバイスに通信可能に接続されたコントローラを含む。第１及び第２のデバイスは、Ｂｌｕｅｔｏｏｔｈ、Ｗｉ−Ｆｉ、及び他の既知の無線技術などの複数の無線技術能力を有する。コントローラは、無線技術から生成された２つの信号を単一の混合信号に統合して、第１のデバイスから第２のデバイスに、またはその逆にデータを伝送するように構成される。無線技術は、第１及び第２のデバイスの一方に通信可能に接続されるＵ／Ｉを介して選択され得る。加えて、無線技術は、音声コマンドを用いて選択され得るか、または操作者が指定するデータの種類によって自動的に選択され得る。コントローラは、無線技術から生成される２つの信号を混合信号に統合し、かつ第１と第２のデバイスの間の双方向通信も可能にするように構成される。【選択図】図２
2015080211.tif 000002
【特許請求の範囲】
【請求項１】
２つの無線技術を用いてデータを統合及び伝送するための無線通信のシステムであって、
第１のデバイスと第２のデバイスに通信可能に接続されるコントローラであって、前記第１のデバイス及び第２のデバイスは、２つの無線技術を有する、コントローラと、
選択を提供するためのユーザインターフェースと、を備え、
前記２つの無線技術は、前記第１のデバイス及び前記第２のデバイスのうちの一方に通信可能に接続されるユーザインターフェースを介して選択され得、前記コントローラは、前記２つの無線技術からの２つの信号を混合信号に統合する、システム。
【請求項２】
前記第１のデバイスは、車両モジュールである、請求項１に記載のシステム。
【請求項３】
前記第２のデバイスは、スマートフォンである、請求項１に記載のシステム。
【請求項４】
前記ユーザインターフェースは、選択押しボタンを含む、請求項１に記載のシステム。
【請求項５】
前記ユーザインターフェースは、ＬＣＤタッチスクリーンを含む、請求項１に記載のシステム。
【請求項６】
前記コントローラは、干渉に応答して、前記２つの無線技術のうちの一方に代役を務めるよう指示し、かつ前記第１のデバイスと前記第２のデバイスとの間の伝送を維持するための信号を生成するように構成される、請求項１に記載のシステム。
【請求項７】
前記２つの無線技術は、Ｂｌｕｅｔｏｏｔｈ、Ｗｉ−Ｆｉ、及び他の既知の無線技術である、請求項１に記載のシステム。
【請求項８】
前記混合信号は、前記第１のデバイスと前記第２のデバイスとの間のデータ伝送のためにより大きい帯域幅を生成し得る、請求項１に記載のシステム。
【請求項９】
前記コントローラは、２つの無線技術を有する第３のデバイスに通信可能に接続される、請求項１に記載のシステム。
【請求項１０】
前記第３のデバイスは、スマートデバイスである、請求項１に記載のシステム。
【請求項１１】
第１のデバイス、第２のデバイス、及びユーザインターフェースを用いて２つの無線技術からの２つの信号を統合及び伝送するための方法であって、
データ伝送のために２つの無線技術を選択することと、
前記２つの無線技術の前記選択に基づいて、前記コントローラを介して前記無線技術から生成された２つの信号を単一の混合信号に統合することと、
前記混合信号を介して前記第１のデバイスと前記第２のデバイスとの間でデータを伝送することと、を含む、方法。
【請求項１２】
前記第１のデバイスと前記第２のデバイスとの間で伝送される前記データを選択することをさらに含む、請求項１１に記載のシステム。
【請求項１３】
前記混合信号を前記２つの無線技術のうちの一方から生成された信号に置き換えて、他方の無線技術が干渉を受けているときにシステム障害を防止することをさらに含む、請求項１１に記載のシステム。
【請求項１４】
前記２つの信号に対して伝送される前記データをパース（解析）及び暗号化することをさらに含む、請求項１１に記載のシステム。
【請求項１５】
前記混合信号を介して前記データを受信することをさらに含む、請求項１１に記載の方法。
【請求項１６】
前記混合信号を介して受信された前記データをコンパイル及び復号化することをさらに含む、請求項１１に記載の方法。
【請求項１７】
前記２つの無線技術は、Ｂｌｕｅｔｏｏｔｈ及びＷｉ−Ｆｉである、請求項１１に記載のシステム。
【請求項１８】
前記２つの無線技術は、Ｂｌｕｅｔｏｏｔｈ及び他の既知の無線技術である、請求項１１に記載のシステム。
【請求項１９】
前記２つの無線技術は、Ｗｉ−Ｆｉ及び他の既知の無線技術である、請求項１１に記載のシステム。
【請求項２０】
第１及び第２のデバイスに通信可能に接続されたコントローラを有する２つの無線技術からの信号を統合及び伝送するときに干渉を防止するための方法であって、
前記コントローラを介して、干渉によって引き起こされる前記２つの無線技術のうちの一方の動作障害を検出することと、
前記コントローラを介して、前記２つの無線技術のうちの前記検出された無線技術を他方の無線技術に置き換えることと、を含む、方法。
【発明の詳細な説明】
【技術分野】
【０００１】
本発明は、無線通信のためのシステム及び方法に関する。
【背景技術】
【０００２】
無線通信及びデータ伝送は既知である。典型的に、これらの通信及び伝送は、一方のデバイスから他方のデバイスにデータが伝送されることを可能にする一方向システムか、または複数個のデバイス間の二方向のデータの伝送を可能にする双方向システムを用いて転送される。したがって、複数個のデバイス間で情報をすみやかに交換する能力のため、双方向通信が望ましい。双方向無線通信の分野において、通信システム及び方法は、異なる技術及びデバイスが進歩するにつれて進歩する。これは、Ｂｌｕｅｔｏｏｔｈ（登録商標）、またはＷｉ−Ｆｉとして知られる無線ローカルエリアネットワーク（ＷＬＡＮ）などの異なる無線技術を利用してデータを伝送する能力を含む。
【発明の概要】
【発明が解決しようとする課題】
【０００３】
技術の進歩は、無線通信デバイスのコンポーネントの大きさをより小さくし、これが同一の回路内で異なる無線技術を利用し、かつデータを同時に伝送するといった需要を生み出した。この需要に対処するためのいくつかの解決策が企図されてきたが、単一信号による複数の無線技術を用いたデータの伝送を可能にするものは存在しない。
【課題を解決するための手段】
【０００４】
第１のデバイスと第２のデバイスとの間で２つの無線技術を利用してデータを統合及び伝送するように構成される、ユーザインターフェースを介して選択され得る無線通信のためのシステム及び方法が提供される。
【０００５】
本システムは、第１及び第２のデバイスに通信可能に接続されたコントローラを含む。第１及び第２のデバイスには、Ｂｌｕｅｔｏｏｔｈ、Ｗｉ−Ｆｉ、及び他の既知の無線技術などの２つの無線技術が搭載されている。無線技術は、第１のデバイス及び第２のデバイスのうちの一方に通信可能に接続されるユーザインターフェースを介して選択され得る。加えて、無線技術は、音声コマンドを用いて選択され得るか、または操作者が指定するデータの種類によって自動的に選択され得る。コントローラは、無線技術から生成された２つの信号を単一の混合信号に統合し、かつ第１のデバイスと第２のデバイスとの間の双方向通信も可能にするように構成される。
【０００６】
コントローラは、他の無線技術が干渉を受けているときに混合信号を他方の無線技術で代用するよう一方の無線技術に命令するように構成される。
【０００７】
本明細書に開示される態様は、第１のデバイス、コントローラ、第２のデバイス、及びユーザインターフェースを有する２つの無線技術からの２つの信号を統合及び伝送するための方法を提供する。コントローラは、データ伝送に用いられる２つの無線技術を選択し、２つの無線技術の選択に基づいて生成された２つの信号を単一の混合信号に統合し、及び混合信号により第１のデバイスと第２のデバイスとの間でデータを伝送する動作を実施するように構成される。
【０００８】
本方法は、他方が干渉を受けているときに伝送障害を防止するために、混合信号を２つの無線技術のうちの一方によって生成された信号で代用することをさらに含み得る。
【０００９】
本明細書に開示される態様は、第１のデバイス、コントローラ、及び第２のデバイスを有する２つの無線技術からの信号を統合及び伝送するための方法を提供する。本方法は、２つの無線技術のうちの一方の動作を中断する干渉を検出することと、データ伝送を維持するために、他方の無線技術を、干渉を受けている一方の無線技術の代用とすることとを含む。
【００１０】
本明細書に開示される態様は、種々の利点を提供する。例えば、操作者は、種々の種類の無線技術を備えた複数個のデバイスを、複数個のデバイス間で切り替えるのではなく、１つのインターフェースを用いることにより簡易化された手法で操作する。同様に、本システムは、より高速なデータ転送速度、並びに情報の伝送のためのより大きい容量または帯域幅を提供し、２つ以上の無線技術の使用に基づいて、操作者がより多くのデータをより高速に伝送することを可能にする。同様に、本システム及び方法は、現象または環境条件によって引き起こされる他方の無線技術が干渉によって中断されているときに、一方の無線技術の信号を他方の無線技術の代用とすることにより、データ伝送における干渉を低減する。
【００１１】
本発明の上述の利点及び他の利点は、添付の図面とあわせて考察されるときに以下の詳細な説明を参照することによりさらに良好に理解されるため、容易に認識されるであろう。
【図面の簡単な説明】
【００１２】
【図１】第１、第２、及び第３のデバイスの例を図示したものである。
【図２】２つの無線技術を用いてデータを統合及び伝送するように構成された無線通信のためのシステムの例を図示したものである。
【図３】２つの無線技術を用いてデータを伝送する複数の信号の例を描写したブロック図を図示したものである。
【図４】２つの無線技術を用いてデータを伝送する複数の信号の別の例を描写したブロック図を図示したものである。
【図５】２つ以上の無線技術を用いてデータを伝送する複数の信号の例を描写したブロック図を図示したものである。
【図６】２つの無線技術を用いてデータ伝送中の干渉を防止するための方法の例を描写したフロー図を図示したものである。
【図７】２つの無線技術によって生成された２つの信号を統合及び伝送するための方法の例を描写したフロー図を図示したものである。
【図８】２つの無線技術によって生成された２つの信号を統合及び伝送するための方法の例を描写したフロー図を図示したものである。
【発明を実施するための形態】
【００１３】
本発明の詳細な例が本明細書に開示されるが、開示された例は単なる例示であり、種々の及び代替的な形式において具現化され得ることを理解されたい。これらの例が、本発明のすべての可能な形式を図示及び説明することは意図されない。むしろ、本明細書において使用される語句は、制限的ではなく記述的であり、本発明の精神及び範囲を逸脱することなく種々の変更がなされ得ることを理解されたい。
【００１４】
本明細書に開示される態様は、操作者が両方のデバイス間で切り替えるのではなく、１つのインターフェースを用いてスマートフォン及び車両モジュールなどの複数個のデバイスを操作することを可能にする。加えて、複数の無線技術は協調してデータを伝送するため、より高速な転送速度、またはより大きい帯域幅を可能にし、かつデータ伝送を中断することによる干渉を防止する。
【００１５】
図１は、第１、第２、及び第３のデバイス１４、１８、２６の例を図示したものである。第１、第２、及び第３のデバイス１４、１８、２６は有線または無線デバイスであり得、種々の車両モジュール、携帯電話またはスマートフォン、及びタブレットなどのスマートデバイス、ラップトップ、ヘッドフォン、キーボード、プリンタ、または種々のプラットフォームで動作する他の携帯デバイスを含むがこれらに限定されない。それぞれのデバイスに、処理ユニット、無線通信または有線通信を支援する能力を持つ、複数のセンサ及びアンテナを有する集積回路、並びにＷｉ−Ｆｉ、Ｂｌｕｅｔｏｏｔｈ、ＧＰＳ、ビデオ通話及び同等物などのさまざまなアプリケーションが搭載され得る。典型的に、これらのデバイスは、選択押しボタン２８または図１に示されるようなＬＣＤタッチスクリーン３０を有するユーザインターフェース２０の使用を介して操作される。ユーザインターフェース２０の操作は、押しボタン２８またはタッチスクリーン３０を介した選択に限定されず、音声コマンド及び同等物をさらに含み得る。ユーザインターフェース２０は、図２及び図６においてさらに説明されるように、操作者が実際の必要性によって異なるアプリケーションを選択し、かつデバイスを制御することを可能にする。
【００１６】
当業者であれば理解するように、任意の図面を参照して図示及び説明される本開示の種々の特徴は、１つ以上の他の図面と組み合わせられて、明確に図示も説明もされていない本開示の例を提示し得る。図示される特徴の組み合わせは、典型的なアプリケーションについての代表的な例を提供する。しかしながら、本開示の教示と一致する特徴の種々の組み合わせ及び修正は、特定のアプリケーションまたは実装の場合に所望され得る。
【００１７】
図２について、この図は２つの無線技術１２を利用してデータ１０を統合及び伝送するように構成された無線通信のためのシステムを描写する。データ１０は、音楽のストリーム、映画、車両情報、または他の種類の情報、並びにコマンドまたは他の種類の媒体などの通信などのデータを含む。本システムは、第１及び第２のデバイス１４、１８に通信可能に接続されたコントローラ１６を含む。それぞれのデバイス１４、１８に、２つの無線技術１２、並びにユーザインターフェース２０が搭載され得る。２つの無線技術１２は、ユーザインターフェース２０を介して、または音声コマンド若しくはソフトウェアを介して選択され得る。コントローラ１６は、無線技術１２によって生成された２つの信号２２を混合信号２４に統合し、この混合信号２４を第１のデバイスと第２のデバイス１４、１８の間で伝送するように構成される。例えば、本システムの操作者は、操作者のスマートフォン上で利用可能なインターネットラジオを操作者の車両を介してストリーム配信することを要求し得る。ソフトウェアによる自動的な選択により、ハードウェア信号検出により、あるいは操作者により、音楽をストリーム配信するためにＢｌｕｅｔｏｏｔｈ及びＷｉ−Ｆｉを選択し得るか、または操作者が、操作者のスマートフォン上のインターネットラジオアプリケーションを選択し得、これは車両内でスマートフォンから車両モジュールに音楽をストリーム配信するために自動的にＢｌｕｅｔｏｏｔｈ及びＷｉ−Ｆｉを指定するものである。
【００１８】
しかしながら、データ１０の伝送中に時折干渉が１つの種類の無線技術１２を中断させ得るが、ＢｌｕｅｔｏｏｔｈまたはＷｉ−Ｆｉなどの技術の特定の仕様のため、他の無線技術は中断しない。干渉は、天気などの現象若しくは環境的条件、または不良受信状態にある一定の地理的位置によって引き起こされ得る。本システムの態様は、選択された無線技術１２のうちの一方がデータ１０の伝送中に干渉を受けた場合、コントローラ１６は他方の無線技術１２に対して、代用の役割をするよう、及び第１のデバイスと第２のデバイス１４、１８の間の伝送を維持するために信号２２を生成するよう指示する。例えば、操作者が操作者の車両内でスマートフォンから車両モジュールへと音楽をストリーム配信するためにＷｉ−Ｆｉ及びＢｌｕｅｔｏｏｔｈを使用しており、車両の地理的位置に基づく干渉のためにＷｉ−Ｆｉ信号が低下した場合、コントローラ１６はＢｌｕｅｔｏｏｔｈ信号が代用の役割をして、データ１０の伝送を維持するよう命令する。言い換えると、Ｂｌｕｅｔｏｏｔｈ信号は、Ｗｉ−Ｆｉの援助を受けずにスマートフォンから車両モジュールへと音楽をストリーム配信し続ける。
【００１９】
加えて、コントローラ１６は、データ１０の伝送及び受信において、混合信号２４を介した第１及び第２のデバイス１４、１８の間、またはその逆の二方向通信を可能にする。
【００２０】
無線技術１２の種類は、Ｂｌｕｅｔｏｏｔｈ及びＷｉ−Ｆｉ、並びに他の既知の無線技術を含み得る。他の既知の無線技術は、一種類の無線技術を包含し得、または種々の種類の現在及び未来の無線技術を包含し得る。他の既知の無線技術は、全地球測位システム（ＧＰＳ）、モバイル仮想プライベートネットワーク（モバイルＶＰＮ）、ロングタームエボリューション（ＬＴＥ）、デジタル・エンハンスト・コードレス・テレコミュニケーションズ（ＤＥＣＴ）、エンハンスト・ボイス・データ・オプティマイズド（ＥＶＤＯ）、汎用パケット無線システム（ＧＰＲＳ）、高速パケットアクセス（ＨＳＰＡ）、大容量空間分割多重アクセス（ｉＢｕｒｓｔ）、Ｌｉ−Ｆｉ、マルチチャネル・マルチポイント配信サービス（ＭＭＤＳ）、ワールドワイド・インターオペラビリティ・フォー・マイクロウェーブ・アクセス（ＷｉＭａｘ）、無線ＵＳＢ、及び無線通信の能力を持つ他の技術を含むがこれらに限定されない。無線技術１２を指定するために、操作者は、選択押しボタン２８またはユーザインターフェース２０のタッチスクリーン３０を用いて無線技術１２のうちの一方をオンまたはオフにすることにより無線技術１２の種類を選択し得る。例えば、Ｂｌｕｅｔｏｏｔｈ及びＷｉ−Ｆｉ、Ｂｌｕｅｔｏｏｔｈ及び他の既知の無線技術、並びにＷｉ−Ｆｉ及び他の既知の無線技術などの組み合わせのうちのいずれかが２つの無線技術１２の選択を満たす。
【００２１】
別の例において、デバイス１４、１８の操作者は、ユーザインターフェース２０を介してデータ１０の種類を選択することにより、無線技術１２の種類を指定し得る。言い換えると、指定されたデータ１０の種類が無線技術１２の種類の選択を決定づける。例えば、操作者が第１及び第２のデバイス１４、１８の間で動画をストリーム配信することを所望し、動画のストリーム配信用のユーザインターフェース２０上のアプリケーションを選択した場合、デバイスは第１及び第２のデバイス１４、１８の間でデータ１０を伝送するために、Ｂｌｕｅｔｏｏｔｈ及びＷｉ−Ｆｉ、またはＷｉ−Ｆｉ及び他の既知の無線技術を自動的に選び得る。
【００２２】
データ１０または無線技術１２の種類が選択された後、データ１０を代表する信号２２が生成され、安全な伝送のためにパース（解析）及び暗号化される。コントローラ１６は次にパース及び暗号化された信号２２を混合信号２４に統合する。コントローラ１６は、第１及び第２のデバイス１４、１８の間で混合信号２４を伝送する。しかしながら、混合信号２４の伝送中、第１及び第２のデバイス１４、１８を取り巻く現象または環境的条件が干渉を引き起こし得る。この干渉は、無線技術１２のうちの一方の動作を中断させ得る。障害に対抗するため、コントローラ１６は、他方の無線技術１２が代用の役割をし且つ第１及び第２のデバイス１４、１８の間の伝送を維持するために信号２２を生成することを命令する。言い換えると、データ１０の伝送中に干渉のためにＢｌｕｅｔｏｏｔｈに障害が起こると、コントローラ１６は代わりにデータ１０を伝送するようにＷｉ−Ｆｉまたは他の既知の無線技術に命令する。
【００２３】
干渉を防止することに加えて、混合信号２４を作成するために２つの無線技術１２を使用することは、第１及び第２のデバイス１４、１８の間にデータ１０を伝送するためのより大きい帯域幅を生成し得る。別の言い方をすれば、２つの無線技術１２を使用することが帯域幅容量を増加させるため、第１及び第２のデバイス１４、１８は、混合信号２４にわたりさらに大量のデータ１０を伝送する能力を有し得る。それぞれの無線技術１２は、個々に技術仕様に基づき一定の帯域幅容量を有する。その結果、複数の無線技術１２が一緒に用いられるため、各々の帯域幅は増加する。
【００２４】
別の例において、第３のデバイス２６は、２つの無線技術１２を有するコントローラ１６に通信可能に接続される。第３のデバイス２６は、図１に示され、かつ上述されるように、第１及び第２のデバイス１４、１８のうちのどちらか、またはこれら両方と通信し得る。
【００２５】
図３〜図５は、複数の信号２２及び無線技術１２を用いてデータ１０を伝送するシステムの例を描写したブロック図を図示したものである。本システムは、第１のデバイス１４、コントローラ１６（図示せず）、及び第２のデバイス１８を有する。上述したように、コントローラ１６は、第１のデバイス１４及び第２のデバイス１８に通信可能に接続される。それぞれのデバイス１４、１８は、２つ以上の無線技術１２、並びにユーザインターフェース２０（図示せず）が搭載され得る。２つの無線技術１２並びに伝送されるデータ１０は、ユーザインターフェース２０を介して、または音声コマンドを介して、若しくは自動的にソフトウェアを介して選択され得る。無線技術１２及びデータ１０がいったん選択されると、第１のデバイス１４が２つ以上の信号２２を用いてデータを伝送し得る。例えば、図３に示されるように、データ１０は、Ｂｌｕｅｔｏｏｔｈ及びＷｉ−Ｆｉを同時に用いて伝送され得る。言い換えると、２つ以上の無線技術１２は互いに連動して、複数の信号２２を用いてデータ１０を伝送し得る。
【００２６】
加えて、図５に図示されるように、データ１０が伝送される前、コントローラ１６（図示せず）は、それぞれの特定の無線技術１２にデータ１０をパース及び暗号化するように構成される。第１のデバイス１４から第２のデバイス１８にデータ１０が伝送された後、データ１０はコンパイル及び復号化される。
【００２７】
図６は、第１のデバイス１４、コントローラ１６、第２のデバイス１８、及びユーザインターフェース２０を有する２つの無線技術１２によって生成された２つの信号２２を統合及び伝送するための方法の例を描写したフロー図を図示したものである。本方法は、データ１０の伝送のために用いられる２つの無線技術１２を選択する工程１００、無線技術１２の選択に基づいて生成された２つの信号２２を混合信号２４に統合する工程１０２、及び第１及び第２のデバイス１４、１８の間で混合信号２４を介してデータ１０を伝送する工程１０４を含む。
【００２８】
上述したように、操作者は、ユーザインターフェース２０内の選択押しボタン２８またはタッチスクリーン３０を介して無線技術１２を選択し得る。図６に示されるように、Ｂｌｕｅｔｏｏｔｈ及びＷｉ−Ｆｉのような無線技術１２が選択されると、コントローラ１６は２つの無線技術１２がオンであると認識する。代替的に、操作者は、ユーザインターフェース２０を介して、以前に使用された任意の無線技術１２の選択を解除するか、またはオフにし得る。例えば、操作者が以前に第１及び第２のデバイス１４、１８の間でＧＰＳ方位のストリーム配信の使用のためにＢｌｕｅｔｏｏｔｈ及び他の既知の無線技術１２を利用しており、かつユーザが今、Ｂｌｕｅｔｏｏｔｈ及びＷｉ−Ｆｉを用いて動画のストリーム配信を所望した場合、操作者はユーザインターフェース２０を介して他の既知の無線技術の選択を解除することにより、他の既知の無線技術をオフにし得る。コントローラ１６は、選択された無線技術１２に基づいて生成される信号２２を認識し、信号２２を単一の混合信号２４に統合または多重化するように構成される。この混合信号２４は、無線技術１２がパイプラインのように互いに協働することを可能にする。
【００２９】
図２に関して説明される別の例において、選択は、ユーザインターフェース２０内の押しボタン２８またはタッチスクリーン３０による無線技術１２の選択に限定されない。図７においてさらに詳細に説明されるように、無線技術１２の選択はまた、操作者がユーザインターフェース２０上でデバイス１４、１８の間で伝送されるデータ１０の種類を決定及び指定したときに内部で発生し得る。本例において、コントローラ１６は、効率的なデータ１０の伝送のために必要な無線技術１２の種類を決定するように構成される。これを決定する際、コントローラ１６は、転送されるデータ１０、データ１０の大きさ、必要とされる転送速度、及び同等物などの種々の要素を考慮し得る。これらの要素の考慮は、より高速なデータ１０の転送速度、またはより大きい帯域幅をもたらし得る。
【００３０】
図７について、第１及び第２のデバイス１４、１８の間で通信可能に接続される、ユーザインターフェース２０及びコントローラ１６を有する２つの無線技術１２によって生成される２つの信号２２を統合及び伝送するための方法をさらに詳細に図示するフロー図である。本方法は、データ１０の伝送のために用いられる２つの無線技術１２を選択する工程２００を含む。図６において前述されたように、操作者は、ユーザインターフェース２０でボタン押下２８またはタッチスクリーン３０を介して無線技術１２を選択し得る。加えて、無線技術１２はユーザインターフェース２０上でオンに指定され得る。例えば、操作者がＢｌｕｅｔｏｏｔｈ及びＷｉ−Ｆｉデータ伝送を選択した場合、ユーザインターフェース２０内のスクリーンの一部分がＢｌｕｅｔｏｏｔｈ及びＷｉ−Ｆｉがオンになったことを反映する。
【００３１】
無線技術１２がいったん選択されたものとして認識されると、操作者は伝送のためのデータの種類１０を選択する（２０２）。データ１０の選択は、操作者がユーザインターフェース２０内の押しボタン２８またはタッチスクリーン３０の使用を介して、またはデバイス１４、１８、及び２６内に予めプログラムされた音声コマンドを介して、車両モジュールで、または操作者の携帯電話若しくはスマートフォン上のアプリケーションを有効にすることを含み得る。図７に示されるように、かかるアプリケーションは、音楽をストリーム配信するためのＭＰ３、運転の道案内のための全地球測位、動画ストリーム配信、及びデバイス上にプリセットされているか、またはデバイス１４、１８、及び２６にダウンロード可能な任意の他のアプリケーションを含み得る。
【００３２】
当業者は、図７における図示は、非制限的な本方法の一例であることを理解する。しかしながら、当業者は、図６において上述されるように、代替例が存在することも認識する。代替例において、伝送のためのデータ１０の選択の動作は、無線技術１２の選択に先行し得る。一例において、データ１０が選択された後、操作者またはコントローラ１６は、図６について前述したように、利用する無線技術１２の種類を指定し得る。例えば、操作者が第１のデバイスと第２のデバイス１４、１８の間で音楽をストリーム配信することを所望した場合、操作者はこの特定のアプリケーションを有効化し、次にＢｌｕｅｔｏｏｔｈ及びＷｉ−Ｆｉをオンにして伝送を完遂し得る。同様に、コントローラ１６は、操作者が操作者の所望するアプリケーションを選択すると、Ｂｌｕｅｔｏｏｔｈ及びＷｉ−Ｆｉを自動的に指定及び有効化して伝送を完遂し得る。
【００３３】
データ１０及び無線技術１２が選択された後、データ１０は伝送のためにパース及び暗号化される（２０４）。本動作中、データ１０は利用される特定の無線技術１２に分析及び符号化される。例えば、データ１０がＢｌｕｅｔｏｏｔｈ及びＷｉ−Ｆｉを用いて音楽をストリーム配信している場合、この音楽はそれぞれの無線技術１２に分析及び符号化される（すなわち、Ｂｌｕｅｔｏｏｔｈのための分析及び符号化並びにＷｉ−Ｆｉのための分析及び符号化）。符号化データ１０を含む複数の信号２２は次に、コントローラ１６を介して伝送のために混合単一２４に統合または多重化される（２０６）。
【００３４】
混合信号２４は、第１及び第２のデバイス１４、１８の間で伝送（２０８）及び受信（２１４）される。混合信号２４を伝送及び受信することは、第１及び第２のデバイス１４、１８内に設置された受信機またはアンテナを使用することによって、並びにＵＳＢケーブル及び同等物などの有線技術によって達成され得る。混合信号２４の伝送及び受信は、双方向通信を可能にする。伝送中、コントローラ１６は、デバイス１４及び１８のどちらかの中の無線技術１２のいずれかが、現象または環境的条件によって引き起こされた干渉による伝送障害を受けているかどうかを検出するように構成される（２１０）。コントローラ１６がＢｌｕｅｔｏｏｔｈのような無線技術１２のうちの一方の中の伝送の干渉を検出すると、コントローラ１６はＷｉ−Ｆｉのようなもう一方の無線技術１２にデータ１０の伝送を完遂するよう命令する。言い換えると、コントローラ１６は、干渉による障害を起こしていない他方の無線技術１２に伝送を維持するよう命令する。図４に示されるように、コントローラ１６が干渉による無線技術１２の障害を検出しない場合、データは混合信号を介して受信される（２１４）。
【００３５】
デバイス１４によっていったん混合信号２４が受信されると、コントローラ１６は、伝送中に用いられる無線技術１２のそれぞれに特定的に、この混合信号２４をコンパイル及び復号化する（２１６）。例えば、伝送されたデータ１０がＷｉ−Ｆｉ及び他の既知の無線技術を用いてパース及び暗号化された場合、受信されたデータ１０はＷｉ−Ｆｉ及び他の既知の無線技術を用いてコンパイル及び復号化される。
【００３６】
図８は、第１及び第２のデバイス１４、１８に通信可能に接続されたコントローラ１６を有する２つの無線技術１２からの信号を統合及び伝送するときに干渉を防止するための方法の例を描写したフロー図を図示したものである。本方法は、２つの無線技術のうちの一方の動作を中断する干渉を検出する工程３００と、他方の無線技術１２を、干渉を受けている一方の無線技術の代用とする工程３０２を含む。この他方の無線技術１２を代用する工程において、第１及び第２のデバイス１４、１８の間のデータ１０の伝送が維持される。
【００３７】
上記に開示される例は、第１または第２のデバイス１４、１８を介してデータ１０を伝送または受信し得る。加えて、上記に開示される例は、ハードウェア、ソフトウェア、またはこれら両方の組み合わせの使用によって実装され得る。特にソフトウェアについて、アプリケーションは、デバイスにおいて予め設定され得るか、またはアプリケーションは、それぞれのデバイスにダウンロード可能であり得る。さらに、技術がさらに進歩するにつれて、システムの中に新しい技術を統合及び包含するために、それぞれのデバイスについてソフトウェアの更新が利用可能であり得る。
【００３８】
本発明の例が図示及び説明されているが、これらの例が本発明のすべての可能な形式を図示及び説明することは意図されない。むしろ、本明細書において使用される語句は、制限的ではなく記述的であり、本発明の精神及び範囲を逸脱することなく種々の変更がなされ得ることを理解されたい。加えて、特徴及び種々の実装例が組み合わせられて本発明のさらなる例を形成し得る。
【図３】
2015080211.tif 000003
【図４】
2015080211.tif 000004
【図５】
2015080211.tif 000005
【図６】
2015080211.tif 000006
【図７】
2015080211.tif 000007
【図８】
2015080211.tif 000008
【図１】
2015080211.tif 000009
【図２】
2015080211.tif 000010